(57)【特許請求の範囲】
【請求項１】
本体と、操作パネルと、熱源と、を有する調理器において、
前記操作パネルは、
前記本体の一表面に設けられる支持板と；
前記支持板に変位操作可能に設けられる操作部と；
複数の上位調理種類と、前記夫々の上位調理種類に属する下位調理種類と、前記下位調理種類に対する夫々の調理条件が貯蔵されているメモリと；
前記支持板上に設けられて、前記操作部の変位に対応して前記上位調理種類を示す上位メニュー表示手段と；
前記支持板上に設けられて、前記操作部の変位に対応して前記下位調理種類を示す下位メニュー表示手段と；
前記上位メニュー表示手段及び前記下位メニュー調理手段により示された前記上位調理種類及び前記下位調理種類の中で所望の上位調理種類及び下位調理種類を選択するための選択部と；
前記選択部により選択された前記下位調理種類に対する前記調理条件を行うため前記調理熱源を制御する制御部と；を含み、
前記操作部には回転ノブが回転可能に設けられ、
前記上位メニュー表示手段は前記回転ノブの周りに前記上位調理種類を順次的に示す輪状の表示部を有し、
前記下位メニュー表示手段は前記回転ノブの回転位置に対応する前記下位調理種類を前記輪状の表示部に順次的に示すことを特徴とする調理器。
【請求項２】
前記選択部は前記回転ノブの加圧により作動する選択スイッチを含むことを特徴とする請求項１に記載の調理器。
【請求項３】
前記輪状の表示部は前記上位調理種類を示す複数のアイコンからなることを特徴とする請求項１に記載の調理器。
【請求項４】
前記輪状の表示部の前記夫々のアイコンに対応するＬＣＤをさらに含むことを特徴とする請求項３に記載の調理器。
【請求項５】
前記下位メニュー表示手段は前記回転ノブの回転位置に対応する前記下位調理種類を順次的に示す表示部を有することを特徴とする請求項４に記載の調理器。
【請求項６】
前記上位メニュー表示手段は前記上位調理種類を前記回転ノブの操作により順次的に示す表示部を有することを特徴とする請求項１または請求項３に記載の調理器。
【請求項７】
前記下位メニュー表示手段は前記選択部により選択された前記上位調理種類に属する下位調理種類を前記表示部に順次的に示すことを特徴とする請求項６に記載の調理器。
【請求項８】
前記回転ノブの回転位置を示すためのインジケーターが形成されていることを特徴とする請求項１に記載の調理器。
【請求項９】
前記インジケーターは前記回転ノブの周りに設けられて前記回転ノブの回転変位に対応するように設けられた複数のＬＥＤを含むことを特徴とする請求項８に記載の調理器。
【請求項１０】
前記複数のＬＥＤが調理進行中に連続して発光することを特徴とする請求項９に記載の調理器。
【発明の詳細な説明】
【０００１】
【発明の属する技術分野】
本発明は、調理器に係り、より詳細には、操作部の構造及び機能の改善された調理器に関する。
【０００２】
【従来の技術】
以下、電子レンジを一例として調理器を説明する。
一般に、電子レンジはマグネトロンから生ずる電磁波に調理物が調理される。マグネトロンからの電磁波の発生時間及び強度、即ち、加熱時間及び加熱温度は調理物により異なり、この加熱時間及び加熱温度を選択する方法により電子レンジが自動調理と手動調理に分けられる。
【０００３】
手動調理において、ユーザーが加熱時間及び加熱温度が任意に選択すると、制御部が選択された加熱時間及び加熱温度に従ってマグネトロンを駆動させることにより調理が行われる。
これに対して、自動調理においては、加熱時間及び加熱温度を異にした複数の調理メニューに対する情報が予めメモリに貯蔵されており、ユーザーは、電子レンジの前面に設けられた調理メニュー表示部を用いて所望の調理メニューを選択することができる。
【０００４】
図９には自動調理方式を採用している従来の電子レンジにおいて、調理メニューの選択のための操作パネルが図示されている。図示されたように、従来の電子レンジの操作パネルは、電子レンジに形成されている機械室（図示せず）の前方に取り付けられた支持板１０１を有する。支持板１０１の上部領域には、四つの四角状の調理メニュー表示部１１０が設けられており、調理メニュー表示部１１０の下部には調理メニューを選択するための回転ノブ１２０が設けられている。支持板１０１の下端部の左右側の角には調理メニュー選択開始ボタン１２１と調理開始ボタン１２２が夫々設けられている。
【０００５】
各の調理メニュー表示部１１０の右側の領域には下位メニュー、例えば、ポップコーン、暖め、解凍等を示す複数の下位メニュー表示バー１１１が上下に配置されており、左側の領域には上位メニューを示す一つの上位メニュー表示バー１１３（Ａ、Ｂ、Ｃ、Ｄ）が配置されている。各の下位メニュー表示バー１１１の左側には下位メニュー用発光ダイオード１１５が、上位メニュー表示バー１１３の左側には上位メニュー用発光ダイオード１１７が、夫々配置されている。これら発光ダイオード１１５、１１７は支持板１０１の外部に露出されるように、支持板１０１と機械室との間にあるＰＣＢ（図示せず）に固定されている。
【０００６】
回転ノブ１２０が四つの調理メニュー表示部１１０に夫々対応する回転位置にある時に、上位メニュー用発光ダイオード１１７が発光し、回転ノブ１２０が各の調理メニュー表示部１１０内の夫々の下位メニュー表示バー１１１に対応する位置に停止すると下位メニュー用発光ダイオード１１５が時発光する。発光ダイオード１１５、１１７は調理メニュー選択開始ボタン１２１及び回転ノブ１２０の操作により作動される発光ダイオード駆動部（図示せず）により発光される。以上の構成を有する従来の電子レンジの操作パネルを用いて調理メニューを選択する過程は次の通りである。
【０００７】
先に、ユーザーが調理メニュー選択ボタン１２１を押すと、発光ダイオード駆動部が回転ノブ１２０の回転位置に対応するメニュー表示部１１０の発光ダイオード１１５、１１７を発光させる。この時、ユーザーは回転ノブ１２０を回転させることにより所望の上位メニューと下位メニューを選択することができる。
所望の上位メニュー及び下位メニューに対応する発光ダイオードが発光すると、ユーザーは調理メニュー選択スイッチ（図示せず）を操作して所望の調理メニューを選択することができる。調理メニュー選択スイッチは回転ノブ１２０の操作と連動するようにした構成になっている。
【０００８】
その後に、ユーザーが調理開始ボタン１２２を押すと、制御部（図示せず）はユーザーの選択したメニューに対する調理情報をメモリから読んでマグネトロンを駆動させる。
しかしながら、こうした構成を有する従来の電子レンジの操作パネルにおいては、前面板の領域が制限されているため、示されるメニューの数が限定されるという問題がある。
また、メニュー表示部や下位メニュー表示バーが多くなると、メニューの選択が不便になるだけでなく、発光ダイオードの数が増加することにより、回路の構成が複雑になってしまうという問題もある。
【０００９】
【発明が解決しようとする課題】
本発明においては、様々なメニューと調理条件を簡単な構成で狭い空間に表示できる調理器を提供することである。
【００１０】
【課題を解決するための手段】
本発明は、前記課題を解決するため、本体と、操作パネルと、熱源と、を有する調理器において、前記操作パネルは、前記本体の一表面に設けられる支持板と；前記支持板に変位操作可能に設けられる操作部と；複数の上位調理種類と、前記夫々の上位調理種類に属する下位調理種類と、前記下位調理種類に対する夫々の調理条件が貯蔵されているメモリと；前記支持板上に設けられて、前記操作部の変位に対応して前記上位調理種類を示す上位メニュー表示手段と；前記支持板上に設けられて、前記操作部の変位に対応して前記下位調理種類を示す下位メニュー表示手段と；前記上位メニュー表示手段及び前記下位メニュー調理手段により示された前記上位調理種類及び前記下位調理種類の中で所望の上位調理種類及び下位調理種類を選択するための選択部と；前記選択部により選択された前記下位調理種類に対する前記調理条件を行うため前記調理熱源を制御する制御部と；を含むことを特徴とする調理器により達成される。
【００１１】
ここで、前記操作部には回転ノブが回転可能に設けられることが好ましい。
前記選択部は前記回転ノブの加圧により作動する選択スイッチを含むことが好ましい。
前記上位メニュー表示手段は前記回転ノブの周りに前記上位調理種類を順次的に示す輪状の表示部を有することが好ましい。
前記輪状の表示部は前記上位調理種類を示す複数のアイコンを含み、前記輪状の表示部の前記夫々のアイコンに対応するＬＣＤ（liquid crystal display）をさらに含むことが好ましい。
前記下位メニュー表示手段は、前記回転ノブの回転位置に対応する前記下位調理種類を前記輪状の表示部に順次的に示すことが好ましいが、前記回転ノブの回転位置に対応する前記下位調理種類を順次的に示す表示部を有することも効果的である。
【００１２】
前記表示部には、前記下位調理種類を一つずつ順次的に示すことが好ましいが、複数の前記下位調理種類を並べてから回転ノブの回転位置に当該する前記下位調理種類を強調して示すことも効果的である。
前記上位メニュー表示手段は前記上位調理種類を前記回転ノブの操作により順次的に示す表示部を含むことが好ましく、前記下位メニュー表示手段は前記選択部により選択された前記上位調理種類に属する下位調理種類を前記表示部に順次的に示すことが効果的である。
【００１３】
前記表示部は前記上位調理種類を一つずつ順次的に示すことが好ましい。また、前記表示部は複数の前記上位調理種類を並べてから前記上位調理種類を強調して示すことが好ましい。
前記回転ノブの回転位置を示すためのインジケーターが形成されていることが好ましく、前記インジケーターは前記回転ノブの周りに設けられることが効果的である。
前記インジケーターは、前記回転ノブの周りに設けられて前記回転ノブの回転変位に対応するようにした複数のＬＥＤを含むことが好ましい。
前記複数のＬＥＤが調理進行中に連続して発光することが好ましい。
【００１４】
【発明の実施の形態】
以下、添付した図面を参照して本発明を詳しく説明する。
図１は本発明による電子レンジの斜視図であり、図２は本発明の第１実施形態による電子レンジの操作パネルの分解斜視図であり、図３は本発明の第２実施形態による電子レンジの操作パネルの分解斜視図である。
【００１５】
本発明による電子レンジは、図１に示すように、調理室３と機械室に区切られる本体１と、調理室３の開口を開閉するドア７と、機械室（図示せず）の前面に取り付けられた操作パネル１０と、を有する。機械室内にはマグネトロン（図示せず）、マグネトロンを駆動するための高電圧変圧器、高電圧コンデンサ等が受容されている。
本発明による電子レンジの操作パネル１０は、図２及び図３に示すように、機械室の前方に取り付けられる支持板１１と、支持板１１の後方に設けられるＰＣＢ（Printed Circuit Board）２０と、を有する。
【００１６】
支持板１１の中央には、上位調理種類、下位調理種類及び調理条件を探すため変位可能に操作部が設けられている。また、支持板１１には、複数の上位調理種類を示す上位メニュー表示手段と、夫々の上位調理種類に属する複数の下位調理種類を示す下位メニュー表示手段と、が設けられている。操作パネル１０には上位調理種類と、夫々の上位調理種類に属する複数の下位調理種類と、夫々の下位調理種類に対する複数の調理条件が貯蔵されているメモリ（図示せず）が設けられている。
【００１７】
本発明による第１実施形態及び第２実施形態においては、図２及び図３に示すように、上位調理種類、下位調理種類及び調理条件を探すための操作部として回転ノブが設けられている。また、回転ノブ３０は、上位調理種類、下位調理種類及び、調理条件を選択する機能をさらに有することが好ましい。回転ノブ３０に付設された選択スイッチ（図示せず）を押すことにより、上位調理種類、下位調理種類及び調理条件を選択することができる。その上、回転ノブ３０は、調理メニュー選択開始機能及び調理開始機能も有することが好ましい。回転ノブ３０には、回転による位置を示すためにマーク部３１及び／またはインジケーター表示部３３が設けられており、インジケーター表示部３３は回転ノブ３０の周りに設けられる。
【００１８】
上位メニュー表示手段は、回転ノブ３０及びインジケーター表示部３３の周りに設けられて複数の上位調理種類を順次的に示す輪状の表示部３５である。図２に示すように、輪状の表示部３５は上位調理種類を示す複数のアイコンからなっている。下位メニュー表示手段は、支持板１１の上部に設けられて回転ノブ３０の回転に対応するアイコンに属する下位調理種類を順次的に示す長方形の表示部１２である。表示部１２は選択された下位調理種類に属する調理条件を順次的に示すことができる。
【００１９】
また、支持板１１の下部に、回転ノブ３０により選択された上位調理種類、下位調理種類及び調理条件を取り消すための取消ボタン３９を設けることが好ましく、多目的補助ボタン３７をさらに設けることもできる。この補助ボタン３７は、例えば、回転ノブ３０の調理メニュー選択、調理メニュー選択開始または調理開始の機能をすることができる。
【００２０】
一方、ＰＣＢ２０には支持板１１の輪状の表示部３５に設けられた夫々のアイコンに対応するように複数の表示領域（４０ａ、４０ｂ…）に区切られた液晶画面４０が設けられている。図３において、液晶画面４０上に示された夫々の上位調理種類は輪状の表示部３５を通じて示される。
【００２１】
ＰＣＢ２０には、回転ノブ３０の回転位置を示すためのインジケーターとして複数のＬＥＤ４３（４３ａ、４３ｂ…）がインジケーター表示部３３に対応する位置に設けられている。夫々のＬＥＤ４３（４３ａ、４３ｂ…）は，回転ノブ３０で調理メニュー選択を始めると作動されるＬＥＤ駆動部４５（図７参照）により発光される。また、ＬＥＤ４３（４３ａ、４３ｂ…）は液晶画面４０の表示領域（４０ａ、４０ｂ…）に夫々対応するように設けられて、回転ノブ３０が表示領域（４０ａ、４０ｂ…）の中で何れか一つを選択すると、それに対応するＬＥＤが発光されることにより、ユーザーは何の上位調理種類が選択されたかを確実に分かることができる。即ち、回転ノブ３０が液晶画面４０の表示領域４０ａに位置する時、その表示領域４０ａだけが発光することもできるが、表示領域４０ａの内側に対応して設けられたＬＥＤ４３ａも共に発光するようにすることができる。勿論、液晶画面４０の表示領域４０ａは発光されず、ＬＥＤ４３ａだけが発光されることもできる。
【００２２】
また、ＰＣＢ２０には、支持板１１の表示部１２に対応する位置にディスプレイ液晶画面６０が設けられている。平常時にディスプレイ液晶画面６０は調理時間等を示すタイマーとして用いられる。回転ノブ３０または別途の補助ボタン３７により上位調理種類が選択されると、ディスプレイ液晶画面６０に選択した上位調理種類に対する下位調理種類と調理条件が順次的に示されることにより、ユーザーは所望の調理メニューを易しく探すことができる。また、ディスプレイ液晶画面６０に、輪状の表示部３５の夫々のアイコンに当該する上位調理種類を示すこともできるので、ユーザーは選択された上位調理種類を分かることができる。
【００２３】
図４は本発明の第３実施形態による電子レンジの操作パネルの分解斜視図であり、図５は上位調理種類、下位調理種類及び調理条件が順次的に示された図４の液状画面の概略図である。
支持板１１の中央領域には上位調理種類、下位調理種類及び調理条件を探して選択するための回転ノブ３０が回転可能に設けられており、この回転ノブ３０は調理メニュー選択開始機能及び調理開始機能を有することが好ましい。回転ノブ３０の周りにはインジケーター表示部３３と調理仕様を示す輪状の表示部３５が設けられている。
【００２４】
ＰＣＢ２０には、支持板１１の輪状の表示部３５に対応する位置に輪状の液晶画面４０が設けられている。液晶画面４０は、上位調理種類、下位調理種類及び調理条件を階層的に順次的に表示できる複数の表示領域４０ａ、４０ｂ、４０ｃに区切られる。ここで、夫々の表示領域４０ａ、４０ｂ、４０ｃ等には条理調理種類、下位調理種類及び調理条件が示される。液晶画面４０の夫々の表示領域は液晶画面駆動部（図７を参照）により作動される。
【００２５】
液晶画面４０の夫々の表示領域の内側には、支持板１１のインジケーター表示部３１に対応する位置に、複数のＬＥＤ４３（４３ａ、４３ｂ…）が設けられている。また、複数のＬＥＤ４３（４３ａ、４３ｂ…）は、ＬＥＤ駆動部４５（図７を参照）により駆動され、回転ノブ３０が何れか一つの表示領域４０ａ、４０ｂ…に位置するすると選択的に発光する。例えば、図５ａ、図５ｂ及び図５ｃに示すように、回転ノブ３０で上位調理種類の中で菓子類を示す表示領域に位置すると、表示領域４０ｂの内側のＬＥＤ４３ｂが発光される。回転ノブ３０により上位調理種類が選択されると、菓子類に属する複数の下位調理種類が夫々の表示領域４０ａ、４０ｂ…に示され、下位調理種類が選択されると、夫々の表示領域４０ａ、４０ｂ…には下位調理種類に属する調理条件が順次的に示される。
【００２６】
図６は本発明の第４実施形態による電子レンジの操作パネルの分解斜視図である。この図面に示したように、第４実施形態による操作パネル１０は、機械室の前方に取り付けられる支持板１１と、支持板１１の後方に設けられたＰＣＢ２０と、を有する。
支持板１１の中央領域には上位調理種類、下位調理種類及び調理条件を探して選択できる回転ノブ３０が設けられており、支持板１１の上部領域には複数の上位調理種類、下位調理種類及び調理条件等を順次的に示す長方形の表示部１２が設けられている。
【００２７】
支持板１１の回転ノブ３０の周りにはインジケーター表示部３３が設けられており、維持板１１の下部には回転ノブ３０により選択された調理仕様を取り消すための取消ボタン３９が設けられており、多目的補助ボタン３７をさらに設けることもできる。
【００２８】
ＰＣＢ２０には、複数のＬＥＤ４３（４３ａ、４３ｂ…）が支持板１１のインジケーター表示部３３に対応する位置に設けられている。回転ノブ３０で調理メニューを選択することにより作動するＬＥＤ駆動部４５（図７を参照）により発光される。ＰＣＢ２０には支持板１１に設けられた表示部１２に対応する位置にディスプレイ液晶画面６０が設けられている。図６に示した回転ノブ３０及び表示部１２は、前述した実施形態による回転ノブ３０及び表示部１２とその作動方法が同一であるからその説明を省略する。
このように構成された電子レンジの操作パネルの動作を制御する制御部が図７に示されている。
【００２９】
本発明による制御部５０は、図７に示すように、回転ノブ３０の回転角に基づいて回転ノブ３０の回転位置を判断する回転位置判断部５１と、調理仕様を選択するスイッチ（図示せず）からの信号に基づいて最終的に調理仕様を定める、即ち、上位調理種類、下位調理種類及び調理条件を定める調理仕様決定部５５と、マグネトロン駆動部１７、ＬＥＤ駆動部４５及び液晶画面駆動部４２の駆動信号を生成する駆動信号生成部５３とを含む。
制御部５０による電子レンジの調理メニュー選択制御過程を、図２及び図８を参照しながら説明する。
【００３０】
先に、ユーザーが回転ノブ３０を操作して調理メニュー選択を始める（Ｓ１０）。例えば、回転ノブ３０を所定時間を押すとか一方向に所定角度を回転させることにより調理メニュー選択が始まる。または、別途の補助ボタン３７を押すことによりメニューを選択することもできる。
この時、調理メニュー選択開始信号が制御部５０に入力されると、制御部５０は入力された信号に従って複数の上位調理種類が輪状の表示部３５に示されるように液晶画面を駆動させる信号を生成して液晶画面駆動部４２を制御する（Ｓ２０）。
【００３１】
上位調理種類が輪状の表示部３５に示されると、ユーザーは回転ノブ３０を回転させて所望の上位調理種類に回転ノブ３０を位置させる。ユーザーが回転ノブ３０を回転させる間に、制御部５０の回転位置判断部５１は回転ノブ３０の回転変位を判断する。制御部５０で回転ノブ３０の変位位置が判断されると、回転ノブ３０の回転位置に対応するＬＥＤ４３ａ、４３ｂ…等が発光されるようにＬＥＤ駆動信号生成してＬＥＤ駆動部４５を制御する。
【００３２】
その後、ユーザーは発光ＬＥＤ４３に対応するインジケーター表示部３３に示された上位調理種類を回転ノブ３０を押すことにより選択する（Ｓ４０）。
ユーザーが上位調理種類を選択すると、ディスプレイ液晶画面６０には選択された上位調メニューに属する下位調理種類が示される（Ｓ５０）。
【００３３】
回転ノブ３０を回転することにより、様々な種類の下位調理種類を示すことが可能であり、ユーザーはそれら下位調理種類の中で所望の下位調理種類を選択する（Ｓ６０）。
上位調理種類及び下位調理種類を選択した後、ユーザーは下位調理種類の選択方法と同一の方法で回転ノブ３０を動作させて調理条件を選択する（Ｓ７０、Ｓ８０）。
【００３４】
上位調理種類、下位調理種類及び調理条件が選択されると、制御部５の調理仕様決定部５５は選択された上位調理種類、下位調理種類及び調理条件に対する最終的な調理仕様を定める（Ｓ９０）。最終的な調理仕様が定まると、ユーザーは調理開始信号が生成されるように回転ノブ３０を操作する（Ｓ１００）。または、調理開始ボタンとしても用いられる別途の補助ボタン３７を押すことにより調理開始信号を生成することもできる。
【００３５】
制御部５０に調理開始信号が入力されると、制御部５０は最終的な調理仕様に従って飲食物が調理されるように、マグネトロン駆動信号を生成してマグネトロン駆動部１７を制御する（Ｓ１１０）。
マグネトロン１５により調理が行われる間に、制御部５０はＬＥＤ駆動部４５を制御することにより複数のＬＥＤ（４３ａ、４３ｂ…）を連続的に発光させて調理進行中であることを示す（Ｓ１２０）。
【００３６】
ユーザーが上位調理種類、下位調理種類及び調理条件をの誤選択した場合には、（Ｓ１０）から（Ｓ１２０）までの何れかの段階でも取消ボタン３９を押すと選択された調理仕様を取り消すことができる。
前記実施形態においては、上位調理種類、下位調理種類及び調理条件の選択のため回転ノブ３０の周りにＬＥＤ（４３ａ、４３ｂ…）を設けているが、ＬＥＤの代わりに液晶画面４０の夫々の表示領域（４０ａ、４０ｂ…）が発光されるようにすることもできる。
【００３７】
前述の実施形態において、上位調理種類、下位調理種類及び調理条件がディスプレイ液晶画面６０に一つずつ順次的に示されるが、ディスプレイ液晶画面６０を複数の表示領域に区切って選択された上位調理種類、下位調理種類及び調理条件等を示すこともできる。
【００３８】
一方、本発明を電子レンジに例えて説明したが、電子レンジに限らず、製パン機、ガスオーブンレンジの如く自動調理方式を採用している一般的な調理器においても、前述した本発明を同一に適用することができる。
前述の実施形態では、回転変位可能に回転ノブを設けているが、スライディング可能であるスライディング操作部、または、ジョイステッキ等を用いて上位調理種類、下位調理種類及び調理条件等の探し及び選択が可能である。
【００３９】
【発明の効果】
前述の如く、本発明によると、操作パネルの空間性を高め調理メニュー及び調理条件等を簡単で容易に示すことができる。
【図面の簡単な説明】
【図１】  本発明による電子レンジの斜視図である。
【図２】  本発明の第１実施形態による電子レンジの操作パネルの分解斜視図である。
【図３】  本発明の第２実施形態による電子レンジの操作パネルの分解斜視図である。
【図４】  本発明の第３実施形態による電子レンジの操作パネルの分解斜視図である。
【図５】  上位調理種類、下位調理種類及び調理条件が順次的に示された図４の液晶画面の概略図である。
【図６】  本発明の第４実施形態による電子レンジの操作パネルの分解斜視図である。
【図７】  本発明により調理を選択する過程を示したフローチャートである。
【図８】  従来の電子レンジの操作パネルの平面図である。
【図９】  自動調理方式を採用している従来の電子レンジにおいて、調理メニューの選択のための操作パネルを示すものである。
【符号の説明】
１  本体
３  調理室
１０  操作パネル
１１  支持板
１２  表示部
２０  ＰＣＢ
３０  回転ノブ
３１  マーク部
３３  インジケーター表示部
３５  輪状の表示部
４０  液晶画面
６０  ディスプレイ液晶画面
【図１】
0003636648.tif 000002
【図２】
0003636648.tif 000003
【図３】
0003636648.tif 000004
【図４】
0003636648.tif 000005
【図５】
0003636648.tif 000006
【図６】
0003636648.tif 000007
【図７】
0003636648.tif 000008
【図８】
0003636648.tif 000009
【図９】
0003636648.tif 000010